【手続補正書】
【提出日】平成16年5月18日(2004.5.18)
【手続補正１】
【補正対象書類名】特許請求の範囲
【補正対象項目名】全文
【補正方法】変更
【補正の内容】
【特許請求の範囲】
【請求項１】
１フレームに相当する画像データを再生する再生装置であって、
複数の補助図形を記憶している補助図形記憶手段と、
画像データにおいて複数の補助図形が合成される位置をそれぞれ示す複数の座標情報を記憶している座標記憶手段と、
前記座標記憶手段から前記複数の座標情報を読み出す読出手段と、
読み出された前記複数の座標情報の順に、前記補助図形記憶手段に記憶されている各補助図形と各座標情報とを対応付ける対応付手段と、
各座標情報により示される各位置において、前記画像データに、当該座標情報に対応付けられた前記補助図形を合成する合成手段と、
合成された画像データを再生して映像信号を出力する再生手段と
を備えることを特徴とする再生装置。
【請求項２】
前記対応付手段は、前記座標情報の昇順に、対応付ける
ことを特徴とする請求項１に記載の再生装置。
【請求項３】
前記座標記憶手段に記憶されている各座標情報は、前記位置を示すＸ座標値とＹ座標値とを含み、
前記対応付手段は、Ｙ座標値が小さい順に、次いでＸ座標値が小さい順に、対応付ける
ことを特徴とする請求項２に記載の再生装置。
【請求項４】
前記再生装置は、さらに、
前記画像データと前記複数の座標情報とが多重化され放送される放送波を受信する受信手段と、
前記放送波から前記画像データとそれに対応する前記複数の座標情報とを分離し、分離された前記複数の座標情報を前記座標記憶手段に書き込む分離手段とを含む
ことを特徴とする請求項１〜３のいずれかに記載の再生装置。
【請求項５】
前記受信手段は、前記放送波に代えて、前記画像データと、前記複数の補助図形と、前記複数の補助図形が合成される位置をそれぞれ示す前記複数の座標情報とが多重化され放送される放送波を受信し、
前記分離手段は、受信した前記放送波から、さらに、前記複数の補助図形を分離し、分離された前記複数の補助図形を前記補助図形記憶手段に書き込む
ことを特徴とする請求項４に記載の再生装置。
【請求項６】
データ送信装置とデータ受信装置とから構成される通信システムであって、
前記データ送信装置は、
１フレームに相当する画像データを記憶している第１記憶手段と、
前記画像データにおいて補助図形が合成される位置をそれぞれ示す複数の座標情報を記憶している第２記憶手段と、
前記画像データと前記複数の座標情報とを多重化して放送波として送信する送信手段とを備え、
前記データ受信装置は、
前記放送波を受信する受信手段と、
座標記憶手段と、
前記放送波から前記画像データとそれに対応する前記複数の座標情報とを分離し、分離された前記複数の座標情報を前記座標記憶手段に書き込む分離手段と、
複数の補助図形を記憶している補助図形記憶手段と、
前記座標記憶手段から前記複数の座標情報を読み出す読出手段と、
読み出された前記複数の座標情報の順に、前記補助図形記憶手段に記憶されている各補助図形と各座標情報とを対応付ける対応付手段と、
各座標情報により示される各位置において、前記画像データに、当該座標情報に対応付けられた前記補助図形を合成する合成手段と、
合成された画像データを再生して映像信号を出力する再生手段とを備える
ことを特徴とする通信システム。
【請求項７】
１フレームに相当する画像データを再生する再生装置において用いられる再生方法であって、
前記再生装置は、
複数の補助図形を記憶している補助図形記憶手段と、
画像データにおいて複数の補助図形が合成される位置をそれぞれ示す複数の座標情報を記憶している座標記憶手段とを備えており、
前記再生方法は、
前記座標記憶手段から前記複数の座標情報を読み出す読出ステップと、
読み出された前記複数の座標情報の順に、前記補助図形記憶手段に記憶されている各補助図形と各座標情報とを対応付ける対応付ステップと、
各座標情報により示される各位置において、前記画像データに、当該座標情報に対応付けられた前記補助図形を合成する合成ステップと、
合成された画像データを再生して映像信号を出力する再生ステップと
を含むことを特徴とする再生方法。
【請求項８】
１フレームに相当する画像データを再生する再生装置において用いられる再生プログラムを記録しているコンピュータ読み取り可能な記録媒体であって、
前記再生装置は、
複数の補助図形を記憶している補助図形記憶手段と、
画像データにおいて複数の補助図形が合成される位置をそれぞれ示す複数の座標情報を記憶している座標記憶手段とを備えており、
前記再生プログラムは、
前記座標記憶手段から前記複数の座標情報を読み出す読出ステップと、
読み出された前記複数の座標情報の順に、前記補助図形記憶手段に記憶されている各補助図形と各座標情報とを対応付ける対応付ステップと、
各座標情報により示される各位置において、前記画像データに、当該座標情報に対応付けられた前記補助図形を合成する合成ステップと、
合成された画像データを再生して映像信号を出力する再生ステップと
を含むことを特徴とする記録媒体。
【請求項９】
画像データを生成し放送波を用いて送信するデータ送信装置であって、
文字と画像とが配置されるページを表し、少なくとも、他のページへのリンクを示すリンク情報と、前記他のページを示すリンク文字とを対応付けて含むページ情報を取得する取得手段と、
取得した前記ページ情報に基づいて、前記文字と前記画像と前記リンク文字とが配置された１フレームに相当する画像データを生成する第１生成手段と、
取得されたページ情報に含まれているリンク情報に基づいて、生成された前記画像データと補助図形とを合成することを指示する補助図形合成情報を生成する第２生成手段と、
生成された前記画像データと前記補助図形合成情報とを多重化して放送波として送信する送信手段とを備え、
前記第１生成手段は、前記補助図形を合成するための領域を空けて、前記リンク文字を配置するように前記画像データを生成する
ことを特徴とするデータ送信装置。
【請求項１０】
画像データを生成し放送波を用いて送信するデータ送信装置で用いられるデータ送信方法であって、
文字と画像とが配置されるページを表し、少なくとも、他のページへのリンクを示すリンク情報と、前記他のページを示すリンク文字とを対応付けて含むページ情報を取得する取得ステップと、
取得した前記ページ情報に基づいて、前記文字と前記画像と前記リンク文字とが配置された１フレームに相当する画像データを生成する第１生成ステップと、
取得されたページ情報に含まれているリンク情報に基づいて、生成された前記画像データと補助図形とを合成することを指示する補助図形合成情報を生成する第２生成ステップと、
生成された前記画像データと前記補助図形合成情報とを多重化して放送波として送信する送信ステップとを含み、
前記第１生成ステップは、前記補助図形を合成するための領域を空けて、前記リンク文字を配置するように前記画像データを生成する
ことを特徴とするデータ送信方法。
【請求項１１】
画像データを生成し放送波を用いて送信するデータ送信装置で用いられるデータ送信プログラムを記録しているコンピュータ読み取り可能な記録媒体であって、
前記データ送信プログラムは、
文字と画像とが配置されるページを表し、少なくとも、他のページへのリンクを示すリンク情報と、前記他のページを示すリンク文字とを対応付けて含むページ情報を取得する取得ステップと、
取得した前記ページ情報に基づいて、前記文字と前記画像と前記リンク文字とが配置された１フレームに相当する画像データを生成する第１生成ステップと、
取得されたページ情報に含まれているリンク情報に基づいて、生成された前記画像データと補助図形とを合成することを指示する補助図形合成情報を生成する第２生成ステップと、
生成された前記画像データと前記補助図形合成情報とを多重化して放送波として送信する送信ステップとを含み、
前記第１生成ステップは、前記補助図形を合成するための領域を空けて、前記リンク文字を配置するように前記画像データを生成する
ことを特徴とする記録媒体。